(57)【要約】【課題】複数の記録媒体にアクセス可能な記録再生装置において、記録媒体を有効利用するための仕組みを提供する。【解決手段】第１の記録媒体１０６に対して第１の情報データを記録再生する第１の記録再生部１０５と、第２の記録媒体に対して第２の情報データを記録再生する第２の記録再生部１０５と、第２の記録媒体に記録された複数の情報データのうち、第１の記録媒体に記録すべきものを任意に選択する選択部１０９１と、第１の記録媒体に記録された情報データを他の装置にて再生可能とするための終了処理が第１の記録媒体に対して指示されたことに応じて、選択部により選択された第２の情報データを第２の記録媒体から再生して第１の記録媒体に記録し、その後第１の記録媒体に対する終了処理を実行するよう第１の記録再生部と第２の記録再生部とを制御する制御部１０８とを備える。【選択図】      図１
2006196082.tif 000002
【特許請求の範囲】
【請求項１】
第１の記録媒体に対して第１の情報データを記録再生する第１の記録再生手段と、
第２の記録媒体に対して第２の情報データを記録再生する第２の記録再生手段と、
前記第２の記録媒体に記録された複数の前記情報データのうち、前記第１の記録媒体に記録すべきものを任意に選択する選択手段と、
前記第１の記録媒体に記録された情報データを他の装置にて再生可能とするための終了処理が前記第１の記録媒体に対して指示されたことに応じて、前記選択手段により選択された第２の情報データを前記第２の記録媒体から再生して前記第１の記録媒体に記録し、その後前記第１の記録媒体に対する前記終了処理を実行するよう前記第１の記録再生手段と第２の記録再生手段とを制御する制御手段と、
を備えることを特徴とする記録再生装置。
【請求項２】
前記選択手段により選択された第２の情報データの容量と、前記第１の記録媒体の追加記録可能な残容量とを比較する比較手段を更に備えることを特徴とする請求項１に記載の記録再生装置。
【請求項３】
前記比較手段による比較の結果、前記選択手段により選択された第２の情報データの容量が前記第１の記録媒体の残容量を超えた場合に警告を行なう警告手段を更に備えることを特徴とする請求項２に記載の記録再生装置。
【請求項４】
前記第１の記録媒体に記録されているデータの付随情報に基づいて、前記第２の記録媒体に記録されている第２の情報データから所望のデータを検索する検索条件を設定する検索条件設定手段と、該検索条件設定手段により設定された検索条件に基づいて、前記第２の記録媒体に記録されている第２の情報データから前記検索条件に合致するデータを検索する検索手段とを更に備え、前記選択手段は前記検索手段により検索された情報データの中から任意の情報データを選択することを特徴とする請求項１に記載の記録再生装置。
【請求項５】
前記検索条件が、データの記録日時であることを特徴とする請求項４に記載の記録再生装置。
【請求項６】
前記終了処理が行なわれた後の前記第１の記録媒体の用途を設定する用途設定手段と、前記選択手段により選択された第２の情報データを前記第２の記録媒体から再生して前記第１の記録媒体に記録する動作において、前記第１の記録媒体に記録するべき第２の情報データを、前記用途設定手段により設定された用途に適したデータ形式に変換する変換手段とを更に備えることを特徴とする請求項１に記載の記録再生装置。
【請求項７】
前記第２の記録媒体から再生して前記第１の記録媒体に記録するデータは、静止画データ又は動画データであることを特徴とする請求項１に記載の記録再生装置。
【請求項８】
前記第１の記録媒体は光ディスクであり、前記第２の記録媒体はカード型記録媒体であることを特徴とする請求項１に記載の記録再生装置。
【請求項９】
第１の記録媒体に対して第１の情報データを記録再生する第１の記録再生手段と、
第２の記録媒体に対して第２の情報データを記録再生する第２の記録再生手段と、
前記第１の記録媒体に記録された情報データを他の装置にて再生可能とするための終了処理を指示する指示手段と、
前記終了処理が行なわれた後の前記第１の記録媒体の用途を設定する用途設定手段と、
前記第２の記録媒体に記録された前記第２の情報データを前記用途設定手段により設定された用途に適したデータ形式に変換する変換手段と、
前記指示手段により前記終了処理が前記第１の記録媒体に対して指示されたことに応じて、前記選択手段により選択された第２の情報データを前記第２の記録媒体から再生し、この再生された第２の情報データを前記変換手段により変換処理して前記第１の記録媒体に記録し、その後前記第１の記録媒体に対する前記終了処理を実行するよう前記第１の記録再生手段と前記変換手段及び前記第２の記録再生手段とを制御する制御手段と、
を備えることを特徴とする記録再生装置。
【請求項１０】
第１の記録媒体に対して第１の情報データを記録再生する第１の記録再生手段と、第２の記録媒体に対して第２の情報データを記録再生する第２の記録再生手段と、前記第２の記録媒体に記録された複数の前記情報データのうち、前記第１の記録媒体に記録すべきものを任意に選択する選択手段とを備える記録再生装置を制御する方法であって、
前記第１の記録媒体に記録された情報データを他の装置にて再生可能とするための終了処理が前記第１の記録媒体に対して指示されたことに応じて、前記選択手段により選択された第２の情報データを前記第２の記録媒体から再生して前記第１の記録媒体に記録し、その後前記第１の記録媒体に対する前記終了処理を実行するよう前記第１の記録再生手段と第２の記録再生手段とを制御する制御工程を備えることを特徴とする記録再生装置の制御方法。
【請求項１１】
前記選択手段により選択された第２の情報データの容量と、前記第１の記録媒体の追加記録可能な残容量とを比較する比較工程を更に備えることを特徴とする請求項１０に記載の記録再生装置の制御方法。
【請求項１２】
前記比較工程における比較の結果、前記選択手段により選択された第２の情報データの容量が前記第１の記録媒体の残容量を超えた場合に警告を行なう警告工程を更に備えることを特徴とする請求項１１に記載の記録再生装置の制御方法。
【請求項１３】
前記記録再生装置は、前記第１の記録媒体に記録されているデータの付随情報に基づいて、前記第２の記録媒体に記録されている第２の情報データから所望のデータを検索する検索条件を設定する検索条件設定手段を更に備え、該検索条件設定手段により設定された検索条件に基づいて、前記第２の記録媒体に記録されている第２の情報データから前記検索条件に合致するデータを検索する検索工程を更に備えることを特徴とする請求項１０に記載の記録再生装置の制御方法。
【請求項１４】
前記検索条件が、データの記録日時であることを特徴とする請求項１３に記載の記録再生装置の制御方法。
【請求項１５】
前記記録再生装置は、前記終了処理が行なわれた後の前記第１の記録媒体の用途を設定する用途設定手段を更に備え、前記選択手段により選択された第２の情報データを前記第２の記録媒体から再生して前記第１の記録媒体に記録する動作において、前記第１の記録媒体に記録するべき第２の情報データを、前記用途設定手段により設定された用途に適したデータ形式に変換する変換工程を更に備えることを特徴とする請求項１０に記載の記録再生装置の制御方法。
【請求項１６】
前記第２の記録媒体から再生して前記第１の記録媒体に記録するデータは、静止画データ又は動画データであることを特徴とする請求項１０に記載の記録再生装置の制御方法。
【請求項１７】
前記第１の記録媒体は光ディスクであり、前記第２の記録媒体はカード型記録媒体であることを特徴とする請求項１０に記載の記録再生装置の制御方法。
【請求項１８】
請求項１０乃至１７のいずれか１項に記載の制御方法をコンピュータに実行させることを特徴とするプログラム。
【請求項１９】
請求項１８に記載のプログラムをコンピュータ読み取り可能に記憶したことを特徴とする記憶媒体。
【発明の詳細な説明】
【技術分野】
【０００１】
本発明は複数のメディアに対して記録・再生が可能な記録再生装置に関し、特に光ディスクのファイナライズ時にディスクの空き容量を有効に利用するための仕組みに関する。
【背景技術】
【０００２】
従来、動画像を撮影して磁気テープに記録するビデオカメラが知られている。この種のビデオカメラにおいては、近年、メモリカードスロットを備え、磁気テープだけでなくメモリカードに対しても動画像や静止画像データを記録するものも登場している。
【０００３】
一方、近年では、磁気テープに代えて、ＤＶＤなどのディスク媒体に対して画像データを記録するビデオカメラも知られている（例えば、特許文献１参照）。ＤＶＤには、繰り返し記録が可能なディスク（ＤＶＤ−ＲＷ、ＤＶＤ−ＲＡＭなど）と、追記型のディスク（ＤＶＤ−Ｒ）とがある。ＤＶＤ−ＲやＤＶＤ−ＲＷディスクの場合、ファイナライズ（終了）処理を行うことで通常のＤＶＤビデオプレーヤにて記録した画像を再生することができるため、異なるメーカ、装置の間での互換性が高い。
【特許文献１】特開２００４−２３５６７９号公報
【発明の開示】
【発明が解決しようとする課題】
【０００４】
前述の様に、ＤＶＤ−Ｒに代表される追記型のメディアでは、一旦ファイナライズ操作を施してしまうとファイナライズ解除ができない。つまり、未使用領域が多く残っているメディアであっても、２度とデータを書き込むことはできなくなってしまう。現実的には、他の機器で再生する必要から未使用領域が多く残っているメディアに対しても、やむを得ずファイナライズ操作を行うことが頻繁に起こり得ると考えられる。
【０００５】
本発明は以上のような状況に鑑みてなされたものであり、その第１の目的は、複数の記録媒体にアクセス可能な記録再生装置において、記録媒体を有効利用するための仕組みを提供することである。
【０００６】
また、本発明の第２の目的は、再書き込み不可能なメディアに関して、空き容量を有効に利用できる仕組みを提供することである。
【課題を解決するための手段】
【０００７】
上述した課題を解決し、目的を達成するために、本発明に係わる記録再生装置は、第１の記録媒体に対して第１の情報データを記録再生する第１の記録再生手段と、第２の記録媒体に対して第２の情報データを記録再生する第２の記録再生手段と、前記第２の記録媒体に記録された複数の前記情報データのうち、前記第１の記録媒体に記録すべきものを任意に選択する選択手段と、前記第１の記録媒体に記録された情報データを他の装置にて再生可能とするための終了処理が前記第１の記録媒体に対して指示されたことに応じて、前記選択手段により選択された第２の情報データを前記第２の記録媒体から再生して前記第１の記録媒体に記録し、その後前記第１の記録媒体に対する前記終了処理を実行するよう前記第１の記録再生手段と第２の記録再生手段とを制御する制御手段と、を備えることを特徴とする。
【０００８】
また、本発明に係わる記録再生装置は、第１の記録媒体に対して第１の情報データを記録再生する第１の記録再生手段と、第２の記録媒体に対して第２の情報データを記録再生する第２の記録再生手段と、前記第１の記録媒体に記録された情報データを他の装置にて再生可能とするための終了処理を指示する指示手段と、前記終了処理が行なわれた後の前記第１の記録媒体の用途を設定する用途設定手段と、前記第２の記録媒体に記録された前記第２の情報データを前記用途設定手段により設定された用途に適したデータ形式に変換する変換手段と、前記指示手段により前記終了処理が前記第１の記録媒体に対して指示されたことに応じて、前記選択手段により選択された第２の情報データを前記第２の記録媒体から再生し、この再生された第２の情報データを前記変換手段により変換処理して前記第１の記録媒体に記録し、その後前記第１の記録媒体に対する前記終了処理を実行するよう前記第１の記録再生手段と前記変換手段及び前記第２の記録再生手段とを制御する制御手段と、を備えることを特徴とする。
【０００９】
また、本発明に係わる記録再生装置の制御方法は、第１の記録媒体に対して第１の情報データを記録再生する第１の記録再生手段と、第２の記録媒体に対して第２の情報データを記録再生する第２の記録再生手段と、前記第２の記録媒体に記録された複数の前記情報データのうち、前記第１の記録媒体に記録すべきものを任意に選択する選択手段とを備える記録再生装置を制御する方法であって、前記第１の記録媒体に記録された情報データを他の装置にて再生可能とするための終了処理が前記第１の記録媒体に対して指示されたことに応じて、前記選択手段により選択された第２の情報データを前記第２の記録媒体から再生して前記第１の記録媒体に記録し、その後前記第１の記録媒体に対する前記終了処理を実行するよう前記第１の記録再生手段と第２の記録再生手段とを制御する制御工程を備えることを特徴とする。
【００１０】
また、本発明に係わるプログラムは、上記の制御方法をコンピュータに実行させることを特徴とする。
【００１１】
また、本発明に係わる記憶媒体は、上記のプログラムをコンピュータ読み取り可能に記憶したことを特徴とする。
【発明の効果】
【００１２】
本発明によれば、複数の記録媒体にアクセス可能な記録再生装置において、記録媒体を有効利用するための仕組みを提供することが可能となる。
【００１３】
また、再書き込み不可能なメディアに関して、空き容量を有効に利用できる仕組みを提供することが可能となる。
【発明を実施するための最良の形態】
【００１４】
以下、本発明の好適な実施形態について、添付図面を参照して詳細に説明する。
【００１５】
（第１の実施形態）
図１は、本発明の第１の実施形態の記録再生装置の構成を説明するブロック図である。
【００１６】
図１に示す記録再生装置は、ファイナライズが必要な記録媒体（光ディスク）と、さらに別の記録媒体（メモリカード）の少なくとも二つの記録媒体に対して記録・再生が可能な記録再生装置である。
【００１７】
図１において、１０１はレンズなどの光学系であり、光学系１０１から入射した撮像光は撮像素子１０２で電気信号に変換される。１０３はカメラ信号処理部であり、撮像素子１０２から出力された電気信号のデジタル変換、ホワイトバランス処理などの信号処理を行う。１０４は圧縮・伸長処理部であり、記録においては、カメラ信号処理部１０３から受けた信号を記録媒体へ記録するためのデータ形式へ圧縮を行い、再生においては、記録媒体から読み出された圧縮データの伸長を行う。１０５は記録・再生制御処理部であり、記録・再生先となる記録媒体へのデータ書き込み、及び記録媒体からのデータの読み出し制御を行う。１０６はファイナライズが必要となる記録媒体である光ディスクであり、１０７は半導体メモリカードなどのカード型記録媒体である。１０８はシステムコントローラであり、ＣＰＵ、メモリなどを含み、各処理部の状態管理や実行処理制御などを行う。１０９は操作部であり、ユーザが装置に対して撮影開始・終了、あるいはファイナライズなどの各種処理の実行・停止指示や各種設定を行うための本体ボタン・スイッチ、あるいはリモコンなどを含み、複数の記録媒体に対して記録再生を行なう場合の記録再生媒体の選択などもここで行われる。１１０は表示・出力処理部であり圧縮・伸長処理部１０４から出力される映像信号やシステムコントローラ１０８からのメニュー表示信号などを受け、ビューファインダ・液晶パネルなどへの表示、あるいは各種インターフェイスに応じた信号の出力等を行なう。音声については特に図示をしていないが、本体に設けられたマイクを使用することで、画像信号と略同様の処理で記録が可能であり、映像（動画）記録時には、通常は音声記録も同時に行われ、圧縮・伸長処理部１０４で映像と音声が多重化される。また、カード型記録媒体１０７から光ディスク１０６へデータを複写する場合は、操作部１０９で指定されたデータを、記録・再生制御処理部１０５によりカード型記録媒体１０７から読み出し、光ディスク１０６へ書き込みを行う。
【００１８】
また、１０９１は操作部１０９に備えられた選択部であり、カード型記録媒体１０７に記録されている複写・移動の対象となるデータから複写・移動するデータの選択を行う。１０８１はシステムコントローラ１０８内に備えられた複写・移動制御部であり、記録・再生制御処理部１０５を制御してカード型記録媒体１０７からデータを読み出し、および移動の場合には当該データの消去を行い、光ディスク１０６へ当該データを書き込むなどの複写・移動制御を行う。１０８２は容量監視部であり、記録・再生制御処理部１０５を制御してファイナライズが必要な光ディスク１０６の残容量(追加記録可能容量)と、さらにカード型記録媒体１０７に記録されている複写・移動の対象となるデータ容量、および選択部１０９１で選択されたデータ容量の監視・比較を行う。１０８３は容量超過警告部であり、容量監視部１０８２において、選択された複写・移動の対象となるデータ容量が記録先残容量を越えたことがわかった場合にユーザに警告を行う。
【００１９】
図２、図４はファイナライズ処理に伴う本発明の第１の実施形態の動作を説明するフローチャートであり、本形態では、光ディスク１０６のファイナライズ時に、カード型記録媒体１０７内に記録された画像ファイルを選択してディスク１０６にコピー可能な構成としている。図３はファイナライズ時における表示・出力処理部１１０での画面表示例を示す図である。以下、フローチャートに従い説明する。
【００２０】
図３の３０１において、ユーザによりファイナライズ指示が選択されると、図２においてステップＳ２０１では容量監視部１０８２により光ディスク１０６の残容量確認を行い、追加記録可能な領域が残っていない場合にはステップＳ２０７へ、残っている場合にはステップＳ２０２へ進む。
【００２１】
ステップＳ２０２では、容量監視部１０８２によりカード型記録媒体１０７内の複写可能なデータ(ここでは画像データ)の総容量の確認を行い、総容量が０つまり複写可能なデータが存在しない場合にはステップＳ２０７へ、総容量が０でない場合にはステップＳ２０３へ進む。
【００２２】
ステップＳ２０３では、ステップＳ２０１で確認した光ディスク１０６の記録可能残容量と、ステップＳ２０２で確認したデータ容量の最小複写単位データ（ここでは、最小サイズの画像データ）のサイズの比較を行い、一つ以上のデータ複写可否の判定を行い、複写不能である場合にはステップＳ２０７へ、複写可能である場合にはステップＳ２０４へ進む。
【００２３】
ステップＳ２０４では、ユーザにコピー（複写）実行の問い合わせ(図３の３０２)を行い、コピーを行わない場合にはステップＳ２０７へ、コピーを行う場合にはステップＳ２０５へ進む。
【００２４】
ステップＳ２０５はユーザによるコピー画像の選択であり、このステップにおける処理の詳細について図４を参照して説明する。
【００２５】
図４において、ステップＳ４０１では、図２のステップＳ２０１で得られたディスク残容量と表示画像データ容量など、容量情報の表示を行う。
【００２６】
ステップＳ４０２では、画像選択画面表示のためにカード型記録媒体１０７から画像データの読み出しを行う。
【００２７】
ステップＳ４０３では、ステップＳ４０２で読み出した画像データの伸長を行い、表示(図３の３０３)を行う。
【００２８】
ステップＳ４０４では、表示画像が選択済み画像であるか否かの確認を行い、その選択状態の表示を行うとともに、選択済み画像でない場合にはステップＳ４０５へ、選択済み画像である場合にはステップＳ４０６へ進む。
【００２９】
ステップＳ４０５では、ユーザに画像選択を問い、現在表示されている未選択の画像を選択する場合にはステップＳ４０７に進み、選択しない場合にはステップＳ４１０に進む。
【００３０】
ステップＳ４０６では、やはりユーザに画像選択を問い、現在表示されている選択済み画像の選択を解除する場合にはステップＳ４０７に進み、選択済み画像の選択を解除しない場合にはステップＳ４１０に進む。
【００３１】
ステップＳ４０７では、ステップＳ４０５とステップＳ４０６で画像選択／選択解除により選択状態の更新がなされているので、その画像データ容量分を選択画像容量に対して反映させ、容量情報表示の更新を行う。
【００３２】
ステップＳ４０８では、ステップＳ４０７で算出した容量とディスク残容量の比較を行い、選択画像容量がディスク残容量を超えた場合には、ステップＳ４０９へ、超えていない場合にはステップＳ４１０へ進む。
【００３３】
ステップＳ４０９では容量超過警告部１０８３によりユーザに対して選択画像容量がディスク残容量を超えたことを警告するための表示(図３の３０８)を行う。
【００３４】
ステップＳ４１０では、次の画像へ移行するか（画像送りするか）、又は画像の選択を終了するかの画像送り／選択終了のユーザ操作判断を行い、画像送りであった場合にはステップＳ４１１へ、終了であった場合には本処理フローを終了し、図２のステップＳ２０６へ進む。
【００３５】
ステップＳ４１１では表示用画像の更新を行い、ステップＳ４０２へ戻り、ステップＳ４０２〜ステップＳ４１０を画像の選択が終了するまで繰り返す。
【００３６】
ここで、容量情報表示例を示す図３の３０９において、３０９１はディスクの残容量を数値で表示し、３０９２ではディスク残容量に対しておよその選択可能な画像残枚数を表示している。また、３０９３はディスク容量を視覚化したもので、３０９６が記録済み容量分、３０９４が選択画像容量分、３０９５が書き込み可能残容量分を表している。ステップＳ４０７においては、これらの表示が更新される。
【００３７】
さらに、画像選択画面表示においては、図３の３０７に示したように、ステップＳ４０２での読み出しを数枚(図では６枚)単位に行い、ステップＳ４０３でサムネイル画像を表示させることも可能である。
【００３８】
上記のようにして図２のステップＳ２０５におけるコピー画像選択のステップが終了すると、ステップＳ２０６では複写・移動制御部１０８１によりステップＳ２０５で選択された画像ファイルをカード型記録媒体１０７より読み出して光ディスク１０６へコピーする(図３の３０４)。ここでの説明はコピー処理としているが、コピーではなく移動(ムーブ)処理とすることも可能であり、その場合には、データの光ディスク１０６への書き込み後にカード型記録媒体１０７から当該データを消去する。
【００３９】
ステップＳ２０７では、ユーザに対してファイナライズを行うかの最終確認(図３の３０５)を行い、ファイナライズを行わない場合、処理は終了となり、行う場合はステップＳ２０８へ進む。
【００４０】
ステップＳ２０８では光ディスク１０６に対してファイナライズ処理を行う(図３の３０６)。
【００４１】
なお、上記のステップＳ２０７は必須ではないが、特にライトワンスディスクの場合にはファイナライズを行うと再書き込みは行えなくなるためこのような確認を行うことが望ましい。
【００４２】
（第２の実施形態）
図５は、本発明の第２の実施形態の記録再生装置の構成を説明するブロック図であり、図１と同一機能部分については同一符号を付し、基本的な説明を省略する。
【００４３】
図５において、５０８４は検索部であり、データの付随情報に関する条件に従いカード型記録媒体１０７に記録されたデータの検索を行う。５０９２は検索条件設定部であり、光ディスク１０６に記録されたデータの付随情報に基づいて、検索部５０８４が検索を行うための条件設定を行う。
【００４４】
図６は本発明の第２の実施形態の動作を説明する処理フローチャートであり、図４と同一ステップについては同一符号を付し、基本的な説明を省略する。以下、フローチャートに従い説明する。
【００４５】
なお、この第２の実施形態の記録再生装置においては、ユーザによりあらかじめ光ディスク１０６に記録された画像撮影日時などの条件が検索条件設定部５０９２に設定される。即ち、本実施形態では、例えば検索条件設定部５０９２が、光ディスク１０６に記録されたデータの付随情報として、そのデータが撮影された（記録された）日時を設定し、検索部５０８４が、カード型記録媒体１０７に記録されたデータのうち、光ディスク１０６内のデータの撮影（記録）日時と同じ、あるいは近い日時に撮影された（記録された）データを検索する、というような動作が可能となる。
【００４６】
また、図６の処理に至るまでの処理（図２のステップＳ２０１〜ステップＳ２０４）は第１の実施形態と同様である。
【００４７】
図６のステップＳ４０１で容量情報表示後に、ステップＳ６０１１では、検索条件設定部５０９２で設定された条件に従いカード型記録媒体１０７に記録された画像データの検索を行い、検索されたコピー候補の全画像のデータ容量を算出する。
【００４８】
ステップＳ６０１２では、ステップＳ６０１１で算出されたコピー候補の全画像のデータ容量とディスクの残容量との比較を行い、コピー候補の全画像のデータ容量がディスクの残容量を越えた場合にはステップＳ４０２へ進み、越えない場合には選択処理をスキップし検索された画像データを全て選択画像として本処理フローを終了する。
【００４９】
ステップＳ４０２以降は、第１の実施形態での処理フローと同様であるが、ステップＳ４０３での表示用画像はコピー候補画像のみとなる。
【００５０】
また、ステップＳ６０１２の比較結果がＹｅｓであっても、コピー画像確認用とコピー候補画像から除外するための確認表示を行ってから処理を終了することも可能である。さらに、ステップＳ６０１２を削除して、検索部５０８４の検索結果をステップＳ４０２以降の処理のための表示画像の絞込みとして利用することも可能である。
【００５１】
なお、検索条件として、日時だけでなく、例えば、カードに記録されている画像データのファイルサイズや画像の解像度などを設定可能な構成としてもよい。
【００５２】
（第３の実施形態）
図７は、第３の実施形態の記録再生装置の構成を説明するブロック図であり、図１と同一機能部分については同一符号を付し、基本的な説明を省略する。
【００５３】
この第３の実施形態では、図１の光ディスク１０６に対するユーザのファイナライズ後の用途、例えば光ディスク再生装置でのみ使用するのか、ＰＣでも利用するのかなどの設定を行うために、図７に示すように、操作部１０９に用途設定部７０９２を有するとともに、複写・移動制御部１０８１のデータ複写・移動において用途設定部７０９２の設定より必要に応じてデータ変換を行うために、圧縮・伸長処理部１０４に変換部７０４１を有する。
【００５４】
本実施形態では、光ディスク１０６に対しＤＶＤのビデオモードにて動画(ＭＰＥＧ２)データが記録され、カード１０７には静止画（ＪＰＥＧ）が記録されているものとする。そして、この様にＤＶＤビデオモードにて動画データが記録された光ディスク１０６をそのままファイナライズ処理すれば、記録されたデータの形式は市販されているＤＶＤビデオディスクの形式と同様となり、一般的なＤＶＤビデオプレーヤにてそのまま再生することができる。
【００５５】
ここで、前述の実施形態と同様にファイナライズ時にカード１０７に記録された静止画ファイルを光ディスク１０６にコピーする際、静止画ファイルをそのまま光ディスク１０６に記録した場合、特別な装置を除き、一般のＤＶＤビデオプレーヤでは再生することができない。そのため、静止画ファイルをディスク１０６にコピーする際、スライドショーなどの形で動画とした後、ＤＶＤビデオモードに応じたデータ形式に変換して記録する必要がある。
【００５６】
また、コピーした静止画を一般のＤＶＤビデオプレーヤで再生する必要がなく、用途がＰＣなどのファイルアクセス可能なものでの利用のみであれば、静止画ファイルをそのままコピーすればよい。
【００５７】
さらに、両者の用途である場合には静止画をスライドショーで動画化したものと、そのままの静止画ファイルを記録することが望まれる。従って、これら用途はユーザによりあらかじめ用途設定部７０９２により設定されているものとする。
【００５８】
図９は、第３の実施形態に係わる変換処理について説明するフローチャートであり、本実施形態での処理は、第１及び第２の実施形態での複写・移動処理に係わる処理に変換処理が付随するため、その処理については図９を用いて説明をし、その他の部分については、図２、図４、図６に対して処理の異なる部分について説明する。
【００５９】
図２のステップＳ２０３での容量比較におけるカード型記録媒体１０７のデータの容量は、用途設定部７０９２に設定された用途に必要な変換後のデータに対する容量を算出し、そのデータとステップＳ２０１で確認したディスク残容量の比較を行い、データ複写可否の判定を行い、複写不能の場合にはステップＳ２０７へ、複写可能の場合にはステップＳ２０４へ進む。
【００６０】
ステップＳ４０７、ステップＳ６０１１での容量計算についても、用途設定部７０９２に設定された用途に必要な変換後のデータに対する容量を算出する。ステップＳ２０６でのコピー処理については、変換処理を伴うコピー処理として、図９に従い説明する。
【００６１】
図９において、ステップＳ２０５での画像選択終了後、ステップＳ８０１では用途設定部７０９２の用途設定情報の取得が行われる。さらに、ここでは図８に示したような複写・移動対象ファイルに対して用途に応じた変換形式が登録されたテーブルを有していて、ユーザが設定した用途に対して、複写・移動するファイルの変換の必要の有無が得られる。
【００６２】
ステップＳ８０２では、ステップＳ８０１で得た用途に対してコピー元ファイルの変換が必要か否かの判断を行う。変換が必要な場合にはステップＳ８０３へ、変換が必要ない場合にはステップＳ８０４へ進む。
【００６３】
ステップＳ８０３では、コピー元ファイルを図８の７０１で指定された形式へ変換し、それを光ディスク１０６へ書き込む。
【００６４】
ステップＳ８０４では、ファイルを変換しない状態で、カード型記録媒体１０７から光ディスク１０６へファイルのコピー(複写)を行う。なお、ここでは複写としているが、移動の場合には移動を行う。
【００６５】
ステップＳ８０５ではユーザの設定用途が複数設定されているかの判断を行う。複数設定されていた場合にはステップＳ８０６へ、複数設定がない場合にはステップＳ８０７へ進む。
【００６６】
ステップＳ８０６では、先に読み出した用途とは別の設定された用途の取得を行い、別用途での再処理を行うために、ステップＳ８０２へ戻る。
【００６７】
ステップＳ８０７では選択された全ての画像についてコピー処理が終了したかの判断を行う。全ての選択画像についてコピー処理が終了した場合には本処理フローを終了し、終了していない場合にはステップＳ８０８へ進む。
【００６８】
ステップＳ８０８では選択画像の更新を行い、別画像での再処理を行うために、ステップＳ８０２へ戻る。このようにして必要に応じて変換処理を行った後、ファイナライズを行う。
【００６９】
このようにすれば、ファイナライズ後にユーザが必要とする形式で、光ディスク１０６にカード型記録媒体１０７内の静止画がコピー又は移動されることとなる。
【００７０】
なお、上記の第１乃至第３の実施形態では、カード型記録媒体１０７に記録されているデータを静止画データとして説明したが、これに限らず動画データであってもよい。
【００７１】
以上説明したように、上記の実施形態によれば、ファイナライズが必要な記録媒体(光ディスク)と、さらに別の記録媒体(メモリカード)の少なくとも二つの記録媒体に対して記録・再生が可能な記録再生装置において、特にイベントなど記録内容で光ディスクの交換を行う場合に、ユーザは記録媒体の残容量を気にすることなくファイナライズを行っても、光ディスクに残容量があった場合には、カードに記録された関連するデータなどを容易に残容量の部分に複写・移動することが可能であり、残容量を無駄にすることなく保存ディスクの作成が可能になる。
【００７２】
また、さらにカード型記録媒体（メモリカード）に記録されたデータを、その属性などにより検索することが可能であり、例えば光ディスクに記録された動画撮影日を条件として、メモリカードに記録された同じ撮影日の静止画検索が容易になり、より関連したデータを集めた保存ディスクの作成が容易になる。
【００７３】
また、ファイナライズした光ディスクをＰＣ(パーソナルコンピュータ)でのみしか使わないなど、ユーザにより光ディスクの用途は異なり、その用途に応じて、適切なデータ形式の変換が行われるため、保存ディスク作成時にユーザがデータ形式などの確認を行う手間が軽減される。
【００７４】
（他の実施形態）
また、各実施形態の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００７５】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００７６】
本発明を上記記憶媒体に適用する場合、その記憶媒体には、先に説明した手順に対応するプログラムコードが格納されることになる。
【図面の簡単な説明】
【００７７】
【図１】本発明の第１の実施形態の記録再生装置の構成を説明するブロック図である。
【図２】第１の実施形態のファイナライズ動作を説明するフローチャートである。
【図３】第１の実施形態における画面表示例を説明する図である。
【図４】第１の実施形態の画像選択動作を説明するフローチャートである。
【図５】第２の実施形態の記録再生装置の構成を説明するブロック図である。
【図６】第２の実施形態の画像選択動作を説明するフローチャートである。
【図７】第３の実施形態の記録再生装置の構成を説明するブロック図である。
【図８】第３の実施形態における用途による変換例を説明する図である。
【図９】第３の実施形態の画像選択動作を説明するフローチャートである。
【符号の説明】
【００７８】
１０１  光学系
１０２  撮像素子
１０３  カメラ信号処理部
１０４  圧縮・伸長処理部
１０５  記録・再生制御処理部
１０６  光ディスク
１０７  カード型記録媒体
１０８  システムコントローラ
１０９  操作部
１１０  表示・出力処理部
１０８１  複写・移動制御部
１０８２  容量監視部
１０８３  容量超過警告部
１０９１  選択部
【図１】
2006196082.tif 000003
【図２】
2006196082.tif 000004
【図３】
2006196082.tif 000005
【図４】
2006196082.tif 000006
【図５】
2006196082.tif 000007
【図６】
2006196082.tif 000008
【図７】
2006196082.tif 000009
【図８】
2006196082.tif 000010
【図９】
2006196082.tif 000011